(57)【要約】      （修正有）【課題】音楽再生機能を有し、心身をリラックスさせて入眠効果を高める安心枕構造を提供する。【解決手段】安心枕構造は、枕本体１と、枕本体上に配設された補助クッション２と、枕本体内に配設された音声出力装置３とを備える。枕本体は内部に収容空間１１１を有し、収容空間と連通する収容口１１２が底端一側に形成される。また枕本体は、収容空間に位置決めされる収容袋１１３が底面一側に縫製されたカバースリーブ１１と、所定の厚さ及び適宜な柔軟性及び弾性復元力を有するとともに、収容口１１２を介して装入されて収容空間内に設置される枕心１２とを有する。補助クッション２は、枕本体より小さく、枕本体のカバースリーブ１１上の側部で収容袋１１３に対応した位置に縫着される。音声出力装置３は、収容袋１１３に配設され、音楽再生機能を有する。【選択図】図７
0003199851.tif 000002
【実用新案登録請求の範囲】
【請求項１】
枕本体と、前記枕本体上に配設された補助クッションと、前記枕本体内に配設された音声出力装置と、を備えた安心枕構造であって、
前記枕本体は、内部に収容空間を有し、前記収容空間と連通する収容口が底端一側に形成され、前記収容空間に位置決めされる収容袋が底面一側に縫製されたカバースリーブと、所定の厚さ及び適宜な柔軟性及び弾性復元力を有するとともに、前記カバースリーブの前記収容口を介して装入されて前記収容空間内に設置される枕心と、を有し、
前記補助クッションは、前記枕本体より小さく、前記枕本体の前記カバースリーブ上の側部に縫着され、前記枕本体の前記カバースリーブの前記収容袋に対応した位置にあるとともに、内部に収容空間を有し、前記収容空間と連通する収容口が一側に形成された前記カバースリーブと、所定の厚さ及び適宜な柔軟性及び弾性復元力を有し、前記カバースリーブの前記収容口を介して装入されて前記収容空間内に配設される枕心と、を有し、
前記音声出力装置は、前記枕本体の前記カバースリーブの前記収容袋に配設され、音楽再生機能を有することを特徴とする安心枕構造。
【請求項２】
前記枕本体の前記カバースリーブの前記収容口には、線ファスナーが縫着され、前記収容口が開閉可能な構造に形成され、前記枕本体の前記カバースリーブの前記収容空間内に配設された前記枕心が外へ漏れ出ることを防ぐことを特徴とする請求項１に記載の安心枕構造。
【請求項３】
前記補助クッションの底面の一端面は、縫合ラインにより前記枕本体上に縫着され、前記補助クッションが前記枕本体上に位置決めされて外方へ展開可能な構造に形成されることを特徴とする請求項１に記載の安心枕構造。
【請求項４】
前記補助クッションは、縫合ラインにより底面の４つの端面の縁部に縫着され、前記枕本体上に前記補助クッションが位置決めされて固定構造が形成されることを特徴とする請求項１に記載の安心枕構造。
【請求項５】
前記補助クッションの前記カバースリーブの前記収容口には線ファスナーが縫着され、前記収容口が開閉可能な構造に形成され、前記補助クッションの前記カバースリーブの前記収容空間内に配設した前記枕心が外へ漏れ出ることを防ぐことを特徴とする請求項１に記載の安心枕構造。
【請求項６】
前記補助クッションの前記カバースリーブの前記収容口の縁部端には縫合ラインが縫着され、前記収容口が開閉可能な構造に形成され、前記補助クッションの前記カバースリーブの前記収容空間内に配設した前記枕心が外へ漏れ出ることを防ぐことを特徴とする請求項１に記載の安心枕構造。
【請求項７】
前記音声出力装置は、モバイル機器と組合せ、前記モバイル機器から伝達された音楽情報又は音声情報を受取って再生することを特徴とする請求項１に記載の安心枕構造。
【請求項８】
前記音声出力装置は、Ｂｌｕｅｔｏｏｔｈ（登録商標）を介して前記モバイル機器と通信して再生することを特徴とする請求項７に記載の安心枕構造。
【請求項９】
前記モバイル機器は、スマートフォン、タブレット型パソコン、パーソナルコンピュータ又はパーソナルデジタルアシスタントであることを特徴とする請求項８に記載の安心枕構造。
【請求項１０】
前記音声出力装置は、予め記憶しておいた外部から入力された音楽、音声のデータを直接再生することを特徴とする請求項１に記載の安心枕構造。
【考案の詳細な説明】
【技術分野】
【０００１】
本考案は、安心枕構造に関し、特に、音楽を再生し、心身をリラックスさせ、入眠効果を高める安心枕構造に関する。
【背景技術】
【０００２】
現代人はより良い生活のために仕事に励み、知らず知らずのうちに身体に力が入り続ける状態となるため、一日が終わると疲労困憊してしまうことがある。しかし、どんなに大変な一日であっても、ゆっくり休息することができれば、心身が回復し、次の日も再び頑張ることができ、随時心身を最適な状態に維持することができる。しかし、現代人の生活及び仕事は忙しすぎて、心理的プレッシャーにより睡眠障害の問題が発生する虞があり、それが長期間続くと、身体の健康及び生活の質に悪影響を与えることがあった。これに鑑み、入眠効果を高めるために、就寝前に音楽を聴いて、気持ちをリラックスさせてストレスを和らげる人が多い。
【０００３】
電子科学技術の発展は非常に速く、音楽を聴くための製品には様々な物がある。人々が入眠前に音楽を聴く方式には大きく分けて２種類あった。それら２種類の方式には、ベッド近くに設置したステレオに携帯電話又はＭＰ３プレーヤーを接続して音楽を流す方式と、イヤホンを携帯電話又はＭＰ３プレーヤーに接続し、耳にイヤホンを装着して音楽を聴く方式とがあった。
【０００４】
しかし、上述したような従来技術には、以下（１）及び（２）の欠点があった。
（１）ベッド横にステレオを設置し、ステレオに携帯電話又はＭＰ３プレーヤーを接続して音楽を再生する場合、周りの人に迷惑をかけて他人の睡眠に悪影響を与えることがあった。
（２）イヤホンを携帯電話又はＭＰ３プレーヤーに接続した場合、音楽を聴くと耳の健康を害し易く、特に使用者がイヤホンを外し忘れて装着したまま寝てしまった場合、大きな問題が起きる虞があった。
【考案の概要】
【考案が解決しようとする課題】
【０００５】
本考案の主な目的は、音楽再生機能を有し、心身をリラックスさせて入眠効果を高める安心枕構造を提供することにある。
【図面の簡単な説明】
【０００６】
【図１】本考案の一実施形態に係る安心枕構造を示す斜視図である。
【図２】本考案の一実施形態に係る安心枕構造を示す分解斜視図である。
【図３】図２のＡ部分の拡大図である。
【図４】本考案の一実施形態に係る安心枕構造の枕本体のカバースリーブ及び枕心を示す斜視図である。
【図５】図４のＢ部分の拡大図である。
【図６】補助クッションが枕本体上に位置決めされ、外方へ展開する状態を示す説明図である。
【図７】本考案の一実施形態に係る安心枕構造を示す断面図である。
【図８】本考案の一実施形態に係る安心枕構造の使用状態の説明図（１）である。
【図９】本考案の一実施形態に係る安心枕構造の使用状態の説明図（２）である。
【考案を実施するための形態】
【０００７】
以下、本考案の実施形態について図に基づいて説明する。なお、これによって本考案が限定されるものではない。
【０００８】
図１〜図６を参照する。図１から図６に示すように、本考案の一実施形態に係る安心枕構造は、少なくとも枕本体１と、枕本体１上に配設された補助クッション２と、枕本体１内に配設された音声出力装置３と、から構成されてなる。
【０００９】
枕本体１はカバースリーブ１１及び枕心１２を含む。カバースリーブ１１は適宜な伸張性及び伸縮性を備える。また、カバースリーブ１１は、布で縫製され、内部に収容空間１１１を有し、収容空間１１１と連通する収容口１１２が底端一側に形成され、収容袋１１３が底面一側に縫製される。収容袋１１３は収容空間１１１に位置決めされる。また、枕心１２は所定の厚さ及び適宜な柔軟性及び弾性復元力を有する。枕心１２は、カバースリーブ１１の収容口１１２を介して装入され、収容空間１１１内に配設される。
【００１０】
枕本体１のカバースリーブ１１の収容口１１２は、開口構造であり、枕本体１のカバースリーブ１１の収容口１１２に線ファスナー１１２１が縫着され、収容口１１２が開閉可能な構造に形成され、枕本体１のカバースリーブ１１の収容空間１１１内に配設した枕心１２が外へ漏れ出ることを防ぐ。枕心１２は、スポンジ、綿花、羽毛又はウエスである詰め物でもよい（図４及び図５を参照する）。
【００１１】
補助クッション２は、枕本体１より小さく、枕本体１のカバースリーブ１１上の側部に縫着される。補助クッション２と、枕本体１のカバースリーブ１１の収容袋１１３とは対応した位置にある。補助クッション２はカバースリーブ２１及び枕心２２を含む。カバースリーブ２１は内部に収容空間２１１を有する。カバースリーブ２１の一側には収容空間２１１と連通する収容口２１２が形成されている。枕心２２は所定の厚さ及び適宜な柔軟性及び弾性復元力を備える。枕心２２は、カバースリーブ２１の収容口２１２を介して装入され、収容空間２１１内に配設される。
【００１２】
補助クッション２は、縫合ラインにより補助クッション２の底面の一端面に縫合して枕本体１に縫着し、補助クッション２を枕本体１上に位置決めし、外方へ展開可能な構成にするか、補助クッション２を縫合ラインにより補助クッション２の底面の４つの端面の縁部を縫合し、補助クッション２を枕本体１上に位置決めし、固定構造が形成される。図面に示すように、補助クッション２を枕本体１上に位置決めし、外方へ展開した構造を構成する。補助クッション２のカバースリーブ２１の収容口２１２には、線ファスナー２１２１が縫着され、収容口２１２を開閉可能な構造に形成し、補助クッション２のカバースリーブ２１の収容空間２１１内に配設した枕心２２が外へ漏れ出ることを防ぐか、或いは補助クッション２のカバースリーブ２１の収容口２１２に、縫合ラインにより収容口２１２の縁部端を縫合し、収容口２１２を開閉可能な構造に形成し、補助クッション２のカバースリーブ２１の収容空間２１１内に配設した枕心２２が外へ漏れ出ることを防ぐ。本考案の図面を見ると分かるように、補助クッション２のカバースリーブ２１の収容口２１２には、線ファスナー２１２１が縫着された構造に形成される。枕心１２は、スポンジ、綿花、羽毛又はウエスである詰め物でもよい（図２、図３及び図６を参照する）。
【００１３】
音声出力装置３は、枕本体１のカバースリーブ１１の収容袋１１３に配設される。音声出力装置３は音楽再生機能を有する。
【００１４】
図７〜図９に基づき、本考案の一実施形態に係る安心枕構造の使用方式を詳細に説明する。本考案の一実施形態に係る安心枕構造は、枕本体１と、枕本体１上に配設する補助クッション２と、枕本体１内に配設する音声出力装置３と、を含む。
【００１５】
枕本体１はカバースリーブ１１及び枕心１２を含む。カバースリーブ１１は、内部に収容空間１１１を有し、底端一側に収容空間１１１と連通する収容口１１２が設けられ、底面一側に収容袋１１３が縫着される。収容袋１１３は、収容空間１１１に位置する。また、枕心１２は所定の厚さ及び適宜な柔軟性及び弾性復元力を有する。枕心１２は、カバースリーブ１１の収容口１１２を介して装入され、収容空間１１１内に配設される。
【００１６】
補助クッション２は、枕本体１より小さく、枕本体１のカバースリーブ１１上の一側に縫着される。補助クッション２は、枕本体１のカバースリーブ１１の収容袋１１３に対応した箇所に位置する。補助クッション２はカバースリーブ２１及び枕心２２を含む。カバースリーブ２１は、内部に収容空間２１１を有し、一側に収容空間２１１と連通する収容口２１２を有する。枕心２２は、所定の厚さ及び適宜な柔軟性及び弾性復元力を有する。枕心２２は、カバースリーブ２１の収容口２１２を介して装入され、収容空間２１１内に設置される。例えば、補助クッション２の数を２個にし、それぞれ枕本体１のカバースリーブ１１上の両側に縫着してもよい。
【００１７】
音声出力装置３は、枕本体１のカバースリーブ１１の収容袋１１３に配設される。音声出力装置３は音楽再生機能を有する。音声出力装置３には、モバイル機器４が組み合わされる。音声出力装置３は、モバイル機器４から伝達された音楽情報又は音声情報を受取り、再生を行う。
【００１８】
音声出力装置３は、Ｂｌｕｅｔｏｏｔｈ（登録商標）を介してモバイル機器４と通信して再生する。モバイル機器４は、スマートフォン、タブレット型パソコン、パーソナルコンピュータ又はパーソナルデジタルアシスタントである。音声出力装置３は、外部から入力された音楽、音声などのデータを予め記憶しておき、直接再生してもよい。
【００１９】
上述したことから分かるように、音声出力装置３はモバイル機器４と組み合わせる。音声出力装置３は、Ｂｌｕｅｔｏｏｔｈ（登録商標）を介してモバイル機器４から送られてくる音楽情報又は音声情報を受取って再生する。音声出力装置３が枕本体１及び補助クッション２下に位置するため、外部へ出力される音量を大幅に下げて他人への影響を減らすとともに、使用者が横臥した際に音量を適宜調整することができるため、心身がリラックスして高い入眠効果を得ることができる。
【符号の説明】
【００２０】
１  枕本体
２  補助クッション
３  音声出力装置
４  モバイル機器
１１  カバースリーブ
１２  枕心
２１  カバースリーブ
２２  枕心
１１１  収容空間
１１２  収容口
１１３  収容袋
２１１  収容空間
２１２  収容口
１１２１  線ファスナー
２１２１  線ファスナー
【図１】
0003199851.tif 000003
【図２】
0003199851.tif 000004
【図３】
0003199851.tif 000005
【図４】
0003199851.tif 000006
【図５】
0003199851.tif 000007
【図６】
0003199851.tif 000008
【図７】
0003199851.tif 000009
【図８】
0003199851.tif 000010
【図９】
0003199851.tif 000011